Podtech/llm-jp-corpus-v4-ja_patent huggingface dataset:
【手続補正書】
【提出日】平成25年4月30日(2013.4.30)
【手続補正１】
【補正対象書類名】特許請求の範囲
【補正対象項目名】全文
【補正方法】変更
【補正の内容】
【特許請求の範囲】
【請求項１】
ポリマー材料、硫酸バリウム、および水を含んでなる部品を含むパッケージにおいて、前記ポリマー材料が次式
【化１】
2012524826.tif 000001
［式中、ｔ１およびｗ１は独立して０または１を表し、ｖ１は０、１または２を表す］
の繰り返し単位を含む、パッケージ。
【請求項２】
前記部品は、少なくとも０．２０重量％の水を含有している、請求項１に記載のパッケージ。
【請求項３】
ｔ１＝１、ｖ１＝０、およびｗ１＝０である、請求項１または２に記載のパッケージ。
【請求項４】
水の硫酸バリウムに対する重量％の比率が、０．０１〜０．２の範囲内にある、請求項１〜３のいずれか一項に記載のパッケージ。
【請求項５】
前記部品は移植可能なプロテーゼである、請求項１〜４のいずれか一項に記載のパッケージ。
【請求項６】
硫酸バリウムの重量％の、前記ポリマー材料の重量％に対する比率が、０．０４より大きく、かつ０．４より小さい、請求項１〜５のいずれか一項に記載のパッケージ。
【請求項７】
前記部品は、少なくとも０．３０重量％の水を含有している、請求項１〜６のいずれか一項に記載のパッケージ。
【請求項８】
前記部品中の硫酸バリウムの含量は少なくとも８重量％である、請求項１〜７のいずれか一項に記載のパッケージ。
【請求項９】
前記部品は、１重量％未満の水を含有している、請求項１〜８のいずれか一項に記載のパッケージ。
【請求項１０】
前記部品は無菌である、請求項１〜８のいずれか一項に記載のパッケージ。
【請求項１１】
前記ポリマー材料が、少なくとも４ＫＪｍ−２のノッチ付きアイゾッド衝撃強度（試験片８０ｍｍ×１０ｍｍ×４ｍｍ、切り込み０．２５ｍｍノッチ（タイプＡ）、試験温度２３℃、ＩＳＯ  １８０に準拠）を有する、請求項１〜１０のいずれか一項に記載のパッケージ。
【請求項１２】
前記部品は整形外科用移植片である、請求項１〜１１のいずれか一項に記載のパッケージ。
【請求項１３】
前記部品中の硫酸バリウムの含量は少なくとも１３重量％である、請求項１〜１２のいずれか一項に記載のパッケージ。
【請求項１４】
前記部品は動的安定化ロッドであり、または人工股関節に用いられるためのものである、請求項１〜１３のいずれか一項に記載のパッケージ。
【請求項１５】
前記硫酸バリウムが、０．１〜１．０μｍの範囲のＤ１０粒径；０．５μｍ〜２μｍの範囲のＤ５０粒径、および１．０μｍ〜５μｍの範囲のＤ９０粒径を有する、請求項１〜１４のいずれか一項に記載のパッケージ。
【請求項１６】
ポリマー材料および硫酸バリウムを含む部品の衝撃強度を向上させるための方法において、内部に含まれる水のレベルを増大させるために前記部品を処理する工程を備え、前記部品の処理は活性処理を含んでなり、前記ポリマー材料は次式
【化２】
2012524826.tif 000002
［式中、ｔ１およびｗ１は独立して０または１を表し、ｖ１は０、１または２を表す］
の繰り返し単位を含む、方法。
【請求項１７】
硫酸バリウムおよび前記ポリマー材料を含む前記部品の中の水の重量％が、少なくとも０．１０重量％、かつ１重量％未満であり、前記部品の中の硫酸バリウムの重量％が、少なくとも１０重量％、かつ３０重量％未満であり、および、前記部品の中の前記ポリマー材料の重量％が、少なくとも４０重量％である、請求項１６に記載の方法。
【請求項１８】
前記部品は、８０℃を超える温度、および大気圧よりも高い圧力での処理を受ける、請求項１６または１７に記載の方法。
【請求項１９】
前記部品は、少なくとも０．２０重量％の水を含有している、請求項１６〜１８のいずれか一項に記載の方法。
【請求項２０】
ｔ１＝１、ｖ１＝０、およびｗ１＝０である、請求項１６〜１９のいずれか一項に記載のパッケージ。
【請求項２１】
前記部品は、１重量％未満の水を含有している、請求項１６〜２０のいずれか一項に記
載の方法。
【請求項２２】
前記部品中の硫酸バリウムの含量は少なくとも８重量％である、請求項１６〜２１のいずれか一項に記載の方法。
【請求項２３】
硫酸バリウムの重量％の、前記ポリマー材料の重量％に対する比率が、０．０４より大きく、かつ０．４より小さい、請求項１６〜２２のいずれか一項に記載の方法。
【請求項２４】
前記部品は移植可能なプロテーゼである、請求項１６〜２３のいずれか一項に記載の方法。
【請求項２５】
前記部品は整形外科用移植片である、請求項１６〜２４のいずれか一項に記載の方法。
【請求項２６】
前記部品は、少なくとも０．３０重量％の水を含有している、請求項１６〜２５のいずれか一項に記載の方法。
【請求項２７】
前記ポリマー材料が、少なくとも４ＫＪｍ−２のノッチ付きアイゾッド衝撃強度（試験片８０ｍｍ×１０ｍｍ×４ｍｍ、切り込み０．２５ｍｍノッチ（タイプＡ）、試験温度２３℃、ＩＳＯ  １８０に準拠）を有する、請求項１６〜２６のいずれか一項に記載の方法。
【請求項２８】
前記部品中の硫酸バリウムの含量は少なくとも１３重量％である、請求項１６〜２７のいずれか一項に記載の方法。
【請求項２９】
前記部品は動的安定化ロッドであり、または人工股関節に用いられるためのものである、請求項１６〜２８のいずれか一項に記載の方法。
【請求項３０】
前記硫酸バリウムが、０．１〜１．０μｍの範囲のＤ１０粒径；０．５μｍ〜２μｍの範囲のＤ５０粒径、および１．０μｍ〜５μｍの範囲のＤ９０粒径を有する、請求項１６〜２９のいずれか一項に記載の方法。
【手続補正書】
【提出日】平成25年4月9日(2013.4.9)
【手続補正１】
【補正対象書類名】特許請求の範囲
【補正対象項目名】全文
【補正方法】変更
【補正の内容】
【特許請求の範囲】
【請求項１】
ヒト患者において全身血圧を低下させることによる、前記ヒト患者における高血圧症の治療において使用するための組成物であって、前記組成物はグアネチジンを含み、そして前記組成物は、血管を取り巻く組織および神経を取り巻く組織内に、前記組織への注射によって投与されることを特徴とする、組成物。
【請求項２】
前記血管が動脈又は静脈である、請求項１に記載の組成物。
【請求項３】
前記血管が腎動脈又は腎静脈である、請求項２に記載の組成物。
【請求項４】
腎動脈の周辺の外膜空間に投与されることを特徴とする、請求項３に記載の組成物。
【請求項５】
各腎動脈の周辺の外膜空間に投与されることを特徴とする、請求項４に記載の組成物。
【請求項６】
血管壁を経由して前記血管を取り巻く前記外膜空間内に注射することにより投与されることを特徴とする、請求項１から５のいずれか一項に記載の組成物。
【請求項７】
前記高血圧症が全身薬物治療に対して抵抗性である、請求項１から６のいずれか一項に記載の組成物。
【請求項８】
約１００μｇ〜約１００ｍｇの量で投与されることを特徴とする、請求項１から７のいずれか一項に記載の組成物。
【請求項９】
放射線不透過性造影剤と連続して又は同時に投与されることを特徴とする、請求項１から８のいずれか一項に記載の組成物。
【請求項１０】
安定化剤と連続して又は同時に投与されることを特徴とする、請求項１から８のいずれか一項に記載の組成物。
【請求項１１】
高血圧症を治療するためのシステムであって、
患者の腎血管系に導入されるように適合されたカテーテルと、
前記カテーテルから腎血管の壁を貫通して前記腎血管を取り巻く外膜内に配置可能な針と、
前記針を経由して前記外膜内に送達することができ、かつ前記患者の全身血圧を治療上有益な量だけ低下させる、グアネチジンの供給源と
を備え、前記供給源は、１０μｇ〜２００ｍｇのグアネチジンを含む、システム。
【請求項１２】
前記針が、血管壁の表面に対して通常直角の方向に、前記壁を通過して３００μｍ〜３ｍｍの範囲の深さまで進入可能である、請求項１１に記載のシステム。
【請求項１３】
前記供給源は、５０μｇ〜１００ｍｇのグアネチジンを含む、請求項１２に記載のシステム。
【請求項１４】
前記供給源は、１００μｇ〜１００ｍｇのグアネチジンを含む、請求項１２に記載のシステム。
【手続補正２】
【補正対象書類名】明細書
【補正対象項目名】００５９
【補正方法】変更
【補正の内容】
【００５９】
腎動脈周辺の外膜に送達するためのこれらのデバイス及び技法の利用は、高血圧症の治療に有用であると認識されており、またこれらのデバイス及び技法の利用は、同様の目標を実現するために、その他の動脈、例えば頚動脈にも適用可能であることは明白である。
本発明は、例えば以下の項目を提供する。
（項目１）
高血圧症治療における使用のためのグアネチジンであって、血管を取り巻く組織内に投与されるグアネチジン。
（項目２）
前記血管が動脈又は静脈である、項目１に記載の使用のためのグアネチジン。
（項目３）
前記血管が腎動脈又は腎静脈である、項目２に記載の使用のためのグアネチジン。
（項目４）
一方の腎動脈の周辺の外膜空間に投与される、項目３に記載の使用のためのグアネチジン。
（項目５）
各腎動脈の周辺の外膜空間に投与される、項目４に記載の使用のためのグアネチジン。
（項目６）
血管壁を経由して前記血管を取り巻く前記外膜空間内に注射することにより投与される、項目１から５のいずれか一項に記載の使用のためのグアネチジン。
（項目７）
前記高血圧症が全身薬物治療に対して抵抗性である、項目１から６のいずれか一項に記載の使用のためのグアネチジン。
（項目８）
約１００μｇ〜約１００ｍｇの量で投与される、項目１から７のいずれか一項に記載の使用のためのグアネチジン。
（項目９）
放射線不透過性造影剤と連続して又は同時に投与される、項目１から８のいずれか一項に記載の使用のためのグアネチジン。
（項目１０）
安定化剤と連続して又は同時に投与される、項目１から８のいずれか一項に記載の使用のためのグアネチジン。
（項目１１）
高血圧症を治療するシステムであって、
患者の腎血管系に導入されるように適合されたカテーテルと、
前記カテーテルから腎血管の壁を貫通して前記腎血管を取り巻く外膜内に配置可能な針と、及び
前記患者の全身血圧を治療上有益な量だけ低下させるように、前記針を経由して前記外膜内に送達することができる神経調節薬の供給源と
を備えるシステム。
（項目１２）
前記神経調節薬が神経毒素断片の神経毒素である、項目１１に記載のシステム。
（項目１３）
前記神経調節薬がグアネチジンである、項目１１に記載のシステム。
（項目１４）
前記針が、血管壁の表面に対して通常直角の方向に、前記壁を通過して３００μｍ〜３ｍｍの範囲の深さまで進入可能である、項目１１から１３のいずれか一項に記載のシステム。
【手続補正書】
【提出日】平成25年4月23日(2013.4.23)
【手続補正１】
【補正対象書類名】特許請求の範囲
【補正対象項目名】全文
【補正方法】変更
【補正の内容】
【特許請求の範囲】
【請求項１】
流体の流路を形成する手段と、前記流体の流路内に位置するロータと、前記ロータのシャフト上の少なくとも１つの誘導ターゲットと、少なくとも１つの誘導センサと、を有する流体フローメータであって、前記少なくとも１つのセンサは前記少なくとも１つの誘導ターゲットに隣接して位置している、流体フローメータ。
【請求項２】
少なくとも２つ、好ましくは３つの誘導センサをさらに有する、請求項１に記載の流体フローメータ。
【請求項３】
複数の前記センサは、前記シャフトの周りで互いに等しい角度間隔で位置する、請求項２に記載の流体フローメータ。
【請求項４】
前記ロータは、前記少なくとも１つのターゲットが前記ロータ内でバランスを失わないように配置されている、請求項１から３のいずれか１項に記載の流体フローメータ。
【請求項５】
複数の前記ターゲットを有し、前記複数のターゲットは前記シャフトの周りに等角度間隔で配置されている、請求項４に記載の流体フローメータ。
【請求項６】
複数の前記ターゲットを有し、前記複数のターゲットは前記シャフトの周りに等距離の位置に配置されている、請求項４に記載の流体フローメータ。
【請求項７】
前記少なくとも１つのターゲットの重量とバランスを取るようになっている釣り合い重りをさらに有する、請求項４から６のいずれか１項に記載の流体フローメータ。
【請求項８】
前記少なくとも１つのターゲットは前記シャフトの端面上に配置されている、請求項１から３のいずれか１項に記載の流体フローメータ。
【請求項９】
誘導ターゲットの回転により流体の流れが測定されるようになっている、複数の誘導ターゲットを含む誘導ターゲットホイールを有する、流体フローメータ用のセンサ組立体。
【請求項１０】
前記センサ組立体は、複数の誘導ターゲットがセンサ内で信号を誘導するように構成された複数の誘導センサをさらに有する、請求項９に記載のセンサ組立体。
【請求項１１】
前記ターゲットホイールの誘導ターゲットの数は、誘導センサの数の倍数ではない、請求項１０に記載のセンサ組立体。
【請求項１２】
前記ターゲットホイール上の誘導ターゲットの数は、４個、８個、１２個、または１３個以上である、請求項１０または１１に記載のセンサ組立体。
【請求項１３】
誘導センサの数は３個である、請求項１０から１２のいずれか１項に記載のセンサ組立体。
【請求項１４】
請求項９から１３のいずれか１項に記載のセンサ組立体が組み込まれた流体フローメータ。
【請求項１５】
流体の流路を形成する手段と、少なくとも１つのブレードを含み前記流体の流路内に位置するロータと、前記ロータの上流側に前記ロータに隣接して位置するリングとを有する流体フローメータであって、前記リングは、動作条件のある範囲にわたって前記ロータのブレードの前縁部の所で流体の流れを調整するようになっている、流体フローメータ。
【請求項１６】
流体フローメータの精度と流れの範囲を実質的に最適化する方法であって、リングを、流体の流路内のロータの上流側に前記ロータに隣接するように位置させることと、前記精度と流れの範囲を実質的に最適化するように前記リングの特性および位置を調整することと、を含む方法。
【請求項１７】
中立的な浮力と、前記ロータのシャフトの軸線を中心としたバランスとのいずれか一方または両方を有する、流体フローメータ用のロータ。
【請求項１８】
流体フローメータ用の平衡浮力ロータを製造する方法であって、好ましくは流体中でロータを回転させることと、質量体の付加または質量体の除去のために適切な位置を判定することと、判定に応じて前記質量体を付加または除去することと、を含む方法。
【手続補正書】
【提出日】平成25年3月26日(2013.3.26)
【手続補正１】
【補正対象書類名】特許請求の範囲
【補正対象項目名】全文
【補正方法】変更
【補正の内容】
【特許請求の範囲】
【請求項１】
（ａ）少なくとも１種の窒素含有イセチオン酸塩、
（ｂ）少なくとも１種の農業用活性成分、および
（ｃ）少なくとも１種の表面活性剤を含んで成る農業用組成物であって、
該農業用組成物は、フィールド・レディ・スプレーまたはタンク混合物であることを特徴とする農業用組成物。
【請求項２】
該少なくとも１種の窒素含有イセチオン酸塩は陽イオン性の窒素含有基を有し、該基はアルキルアミン、アルキルアルカノールアミン、または環式アミンであることを特徴とする請求項１記載の組成物。
【請求項３】
該少なくとも１種の窒素含有イセチオン酸塩はアンモニウムイセチオン酸塩を含んで成ることを特徴とする請求項１記載の組成物。
【請求項４】
該少なくとも１種の窒素含有イセチオン酸塩はタロウアミンイセチオン酸塩を含んで成ることを特徴とする請求項１記載の組成物。
【請求項５】
該少なくとも１種の窒素含有イセチオン酸塩は窒素含有イセチオン酸塩の誘導体を含んで成ることを特徴とする請求項１記載の組成物。
【請求項６】
該窒素含有イセチオン酸塩の誘導体は窒素含有メチルイセチオン酸塩を含んで成ることを特徴とする請求項５記載の組成物。
【請求項７】
該少なくとも１種の窒素含有イセチオン酸塩はさらにイセチオン酸を含んで成ることを特徴とする請求項１記載の組成物。
【請求項８】
該農業用活性成分は弱酸性の農業用活性成分を含んで成ることを特徴とする請求項１記載の組成物。
【請求項９】
該農業用活性成分はｎ−フォスフォノメチルグリシンを含んで成ることを特徴とする請求項１記載の組成物。
【請求項１０】
該農業用活性成分は殺虫剤、殺黴剤、殺生物剤、殺軟体動物剤、殺藻剤、植物成長調節剤、駆虫剤、殺鼠剤、殺線虫剤、殺ダニ剤、殺アメーバ剤、殺原生動物剤、作物保護剤、およびこれらの組み合わせから成る群から選ばれることを特徴とする請求項１記載の組成物。
【請求項１１】
該少なくとも１種の表面活性剤は水の表面張力を低下させ得る１種またはそれ以上の表面活性剤を含んで成ることを特徴とする請求項１記載の組成物。
【請求項１２】
請求項１記載の農業用組成物を植生または土壌に接触させる段階を含んで成ることを特徴とする植生の処理方法。
【請求項１３】
請求項１記載の農業用組成物を基質に接触させる段階を含んで成ることを特徴とする基質の処理方法。
【請求項１４】
（ａ）少なくとも１種の窒素含有イセチオン酸塩、および
（ｂ）少なくとも１種の表面活性剤
を含んで成ることを特徴とする農業用助剤。
【請求項１５】
少なくとも１種の窒素含有イセチオン酸塩はイセチオン酸ナトリウムを含んで成ることを特徴とする請求項１記載の組成物。
【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
細菌性肺感染症を治療する薬剤の製造のためのフルオロキノロン系抗生物質の使用であって、レボフロキサシンとオフロキサシンからなる群から選択された、治療に有効な量の前記フルオロキノロン系抗生物質のエアロゾルが投与され、前記細菌性肺感染症が嫌気的条件下で増殖する細菌を含むことを特徴とする使用。
【請求項２】
請求項１に記載の使用において、前記細菌性肺感染症について、嫌気的条件下で増殖する細菌の存在の検査が行われることを特徴とする使用。
【請求項３】
請求項１又は２に記載の使用において、前記細菌が硝酸塩又は亜硝酸塩を用いて嫌気条件下で増殖できることを特徴とする使用。
【請求項４】
請求項３に記載の使用において、前記細菌性肺感染症について、硝酸塩、又は亜硝酸塩を用いて嫌気的条件下で増殖する細菌の存在の検査が行われることを特徴とする使用。
【請求項５】
請求項１乃至４のいずれか１項に記載の使用において、前記細菌が緑膿菌を含むことを特徴とする使用。
【請求項６】
請求項５に記載の使用において、前記細菌性肺感染症について、緑膿菌の存在の検査が行われることを特徴とする使用。
【請求項７】
請求項１乃至６のいずれか１項に記載の使用において、前記フルオロキノロン系抗生物質がレボフロキサシンであることを特徴とする使用。
【請求項８】
請求項１乃至７のいずれか１項に記載の使用において、前記フルオロキノロン系抗生物質がオフロキサシンであることを特徴とする使用。
【請求項９】
請求項１乃至８のいずれか１項に記載の使用において、前記細菌性肺感染症が嫌気的条件下で増殖する前記細菌の少なくとも一部を有するものと特定されることを特徴する使用。
【請求項１０】
請求項１乃至９のいずれか１項に記載の使用において、前記細菌性肺感染症が嚢胞性線維症の対象中にあることを特徴とする使用。
【請求項１１】
請求項１乃至１０のいずれか１項に記載の使用において、前記肺感染症が少なくとも２５０μＭの濃度の硝酸塩を含む痰により特徴づけられることを特徴とする使用。
【請求項１２】
請求項１乃至１１のいずれか１項に記載の使用において、前記細菌性肺感染症が少なくとも２５０μＭの濃度の硝酸塩を含む痰により特定されることを特徴とする使用。
【請求項１３】
請求項１乃至１２のいずれか１項に記載の使用において、トブラマイシンと、アミカシンと、アズトレオナムとからなる群から選択された、治療に有効な量の抗生物質が投与されないことを特徴とする使用。
【請求項１４】
請求項１乃至１３のいずれか１項に記載の使用において、前記細菌性肺感染症の治療のために、治療に有効な量の他の抗生物質が投与されないことを特徴とする使用。
【請求項１５】
請求項１乃至１４のいずれか１項に記載の使用において、前記フルオロキノロン系抗生物質が肺内への送達により投与されることを特徴とする使用。
【請求項１６】
請求項１乃至１５のいずれか１項に記載の使用において、前記治療に有効な量のフルオロキノロンが約５ｍｇ以上であることを特徴とする使用。
【請求項１７】
請求項１乃至１６のいずれか１項に記載の使用において、前記治療に有効な量のフルオロキノロンが約１５０ｍｇ以下であることを特徴とする使用。
【請求項１８】
嫌気的条件下での細菌の増殖を抑制する方法であって、前記細菌の増殖の抑制に有効な量のフルオロキノロン系抗生物質に前記細菌を暴露させるステップを具えることを特徴とする方法。
【請求項１９】
請求項１８に記載の方法において、少なくとも約０．７５ｍｇ／Ｌのフルオロキノロン系抗生物質を前記細菌に暴露させることを特徴とする方法。
【請求項２０】
請求項１８又は１９に記載の方法において、前記細菌が緑膿菌を含むことを特徴とする方法。
【請求項２１】
請求項１８乃至２０のいずれか１項に記載の方法において、前記細菌が嫌気的条件下で増殖することにより特定されることを特徴とする方法。
【請求項２２】
請求項１８乃至２１のいずれか１項に記載の方法が、更に、前記細菌のサンプルについて、前記細菌が嫌気的条件下で増殖するか否かを測定するステップを具えることを特徴とする方法。
【請求項２３】
請求項１８乃至２１のいずれか１項に記載の方法において、前記細菌のサンプルが少なくとも２５０μＭの濃度の硝酸塩により特徴付けられることを特徴とする方法。
【請求項２４】
請求項１８乃至２３のいずれか１項に記載の方法において、前記フルオロキノロン系抗生物質がレボフロキサシンであることを特徴とする方法。
【請求項２５】
請求項１８乃至２３のいずれか１項に記載の方法において、前記フルオロキノロン系抗生物質がオフロキサシンであることを特徴とする方法。
【手続補正書】
【提出日】平成25年3月26日(2013.3.26)
【手続補正１】
【補正対象書類名】明細書
【補正対象項目名】００４２
【補正方法】削除
【補正の内容】
【手続補正２】
【補正対象書類名】明細書
【補正対象項目名】００４３
【補正方法】削除
【補正の内容】
【手続補正３】
【補正対象書類名】明細書
【補正対象項目名】００４４
【補正方法】変更
【補正の内容】
【００４４】
比較実施例１は、イセチオン酸アンモニウムを用いると、同等量の硫酸アンモニウムを用いた場合にはつくることができない透明で均一な組成物をつくり得ることを示している。
【手続補正書】
【提出日】平成25年4月18日(2013.4.18)
【手続補正１】
【補正対象書類名】特許請求の範囲
【補正対象項目名】全文
【補正方法】変更
【補正の内容】
【特許請求の範囲】
【請求項１】
モノリスを支持するためのマットであって、前記マットは、耐侵食性無機ゲル組成物またはその前駆体のコーティングで少なくとも部分的に被覆された繊維を含む１つ以上の第１部分を備え、かつ前記耐侵食性無機ゲル組成物またはその前駆体を実質的に有さない第２部分をさらに備える、マット。
【請求項２】
前記無機ゲル組成物は、シリカ前駆体の酸または塩基触媒反応によって前記繊維上に形成されたシリカ化合物またはシリコーンポリマーもしくはシリコーンゲルを含有する、請求項１に記載のマット。
【請求項３】
前記１つ以上の第１部分の主要表面積は、前記マットの主要表面積の８０％未満を占める、請求項１または２に記載のマット。
【請求項４】
第１部分の少なくとも一部は、前記マットの対象とする前縁の少なくとも一部に隣接する、請求項１乃至３のいずれか１項に記載のマット。
【請求項５】
前記少なくとも１つの第１部分の１つまたは各々は、前記マットの全厚の少なくとも一部を通って、延びる、請求項１乃至４のいずれか１項に記載のマット。
【請求項６】
前記マットは複数の第１部分を備え、前記複数の第１部分は、前記耐侵食性無機ゲル組成物の柱状部を含む、請求項１乃至５のいずれか１項に記載のマット。
【請求項７】
触媒コンバーターを取り付けるための無機繊維マットを製造する方法であって、該方法は、マットの第１部分を、酸触媒および塩基触媒のうちの少なくとも一方を含有する水性シリカ前駆体混合物で処理することと、前記マットの少なくとも第２部分を処理されないままにすることと、を含む、方法。
【請求項８】
前記シリカ前駆体混合物のシリカ固形分含有量は、２０ｗ／ｗ％未満である、請求項７に記載の方法。
【請求項９】
前記シリカ前駆体混合物中の触媒の濃度は、５ｗ／ｗ％未満である、請求項７または８に記載の方法。
【請求項１０】
前記触媒はピペリジンを含有する、請求項７乃至９のいずれか１項に記載の方法。
【請求項１１】
前記シリカ前駆体によって処理された前記マットの部分の一部または全部は、前記マットの対象とする前縁のうちの一部または全部に隣接する、請求項７乃至１０のいずれか１項に記載の方法。
【請求項１２】
前記マットの複数の部分は、前記マットの厚さのうちの一部または全部を通ってシリカ前駆体の柱状部を形成するために、前記シリカ前駆体によって処理される、請求項７乃至１１のいずれか１項に記載の方法。
【請求項１３】
前記シリカ前駆体は、下記式を有する化合物を含有する混合物を含み、
【化１】
2012524866.tif 000001
前記式中、Ｒ１〜Ｒ４は同一であるか、または異なり、かつＨまたは置換もしくは非置換のアルキル鎖を含む、請求項７乃至１２のいずれか１項に記載の方法。
【請求項１４】
前記マットの少なくとも一部は耐侵食性材料を含み、前記マットは侵食試験１に供された場合には２８ｍｍ２以下の侵食を受けるか、前記マットは侵食試験２に供された場合には５０ｍｍ２以下の侵食を受けるか、のうちの少なくとも一方である、請求項１乃至６のいずれか１項に記載のマット。
【請求項１５】
前記マットは、柔軟性試験１によると１００ｍｍ未満の最小巻き付き径を有すること、及び柔軟性試験２によると１８０ｍｍ２Ｎ−１未満の可撓性を有すること、のうちの少なくとも一方である、請求項１乃至６、または１４のいずれか１項に記載のマット。
【請求項１６】
請求項１乃至６、１４または１５のいずれか１項に記載の取り付けマットを備えた触媒コンバーター。
【手続補正２】
【補正対象書類名】明細書
【補正対象項目名】発明の名称
【補正方法】変更
【補正の内容】
【発明の名称】マット及びその製造方法
【手続補正書】
【提出日】平成25年3月28日(2013.3.28)
【手続補正１】
【補正対象書類名】特許請求の範囲
【補正対象項目名】全文
【補正方法】変更
【補正の内容】
【特許請求の範囲】
【請求項１】
口腔の疾患または病気を処置するのに有用な化合物を同定する方法であって、その方法が以下の：
口腔の疾患または病気を患う哺乳類から得た第１の歯肉試料を試験化合物と接触させ；
前記の哺乳類の口腔から得た第２の歯肉試料を陽性対照と接触させ、ここで前記の陽性対照は１種類以上のマトリックスメタロプロテイナーゼ類の発現を下方制御することが知られている化合物であり；
前記のマトリックスメタロプロテイナーゼ類の１種類以上の発現が前記の試験化合物により下方制御される程度を測定し；
前記のマトリックスメタロプロテイナーゼ類の１種類以上の発現が前記の陽性対照により下方制御される程度を測定し；そして
前記のマトリックスメタロプロテイナーゼ類の１種類以上の発現が前記の試験化合物により下方制御される程度を前記のマトリックスメタロプロテイナーゼ類の１種類以上の発現が前記の陽性対照により下方制御される程度と比較する；
ことを含み、前記のマトリックスメタロプロテイナーゼ類の１種類以上の発現を前記の陽性対照と同等の、またはより大きな程度まで下方制御する試験化合物が口腔の疾患または病気を処置するのに有用な化合物である、前記方法。
【請求項２】
前記の１種類以上のマトリックスメタロプロテイナーゼ類がＭＭＰ−８、ＭＭＰ−９、およびＭＭＰ−１３からなるグループから選択される、請求項１に記載の方法。
【請求項３】
前記の陽性対照がＭＭＰ−８、ＭＭＰ−９、およびＭＭＰ−１３の発現を下方制御する、請求項１または２に記載の方法。
【請求項４】
前記の口腔の疾患または病気が歯肉炎または歯周炎である、前記の請求項のいずれか１項に記載の方法。
【請求項５】
前記の陽性対照がハロゲン化ジフェニルエーテルである、前記の請求項のいずれか１項に記載の方法。
【請求項６】
陽性対照がトリクロサンである、前記の請求項のいずれか１項に記載の方法。
【請求項７】
前記の試験化合物が前記のマトリックスメタロプロテイナーゼ類の１種類以上の発現を前記の陽性対照より大きな程度まで下方制御する、前記の請求項のいずれか１項に記載の方法。
【請求項８】
前記の試験化合物がＭＭＰ−９、およびＭＭＰ−１３の発現を前記の陽性対照より大きな程度まで下方制御する、前記の請求項のいずれか１項に記載の方法。
【請求項９】
前記の試験化合物がＭＭＰ−８、ＭＭＰ−９、およびＭＭＰ−１３の発現を前記の陽性対照より大きな程度まで下方制御する、前記の請求項のいずれか１項に記載の方法。
【請求項１０】
前記の陽性対照がＭＭＰ−８の発現を下方制御する、請求項２に記載の方法。
【請求項１１】
前記の陽性対照がＭＭＰ−９の発現を下方制御する、請求項２に記載の方法。
【請求項１２】
前記の陽性対照がＭＭＰ−１３の発現を下方制御する、請求項２に記載の方法。
【手続補正書】
【提出日】平成25年4月5日(2013.4.5)
【手続補正１】
【補正対象書類名】特許請求の範囲
【補正対象項目名】全文
【補正方法】変更
【補正の内容】
【特許請求の範囲】
【請求項１】
製紙プロセスにおけるボイラー復水及び／又はボイラー給水の汚染を検出する方法であって：
（ａ）前記製紙プロセスのボイラー復水及び／又はボイラー給水の１つ以上の位置において、その操作温度及び圧力において酸化還元電位（以下、「ＯＲＰ」と呼ぶ）を測定する能力のある１つ以上の装置（以下、「ＣＳＭ装置」と呼ぶ）によりＯＲＰを測定することであって、該ＣＳＭ装置は制御装置と通信させるために作動可能である測定を行うこと；及び
（ｂ）測定されたＯＲＰを前記制御装置に送信すること；
（ｃ）前記測定されたＯＲＰ又は前記測定されたＯＲＰに基づいて計算されたＯＲＰが最適範囲内にあるか否かを評価すること；及び
（ｄ）前記測定されたＯＲＰ、又は前記計算されたＯＲＰが前記最適範囲内にない場合には、前記制御装置は、１つ以上の還元剤、及び／又は１つ以上のｐＨ調節化学物質の有効量を前記製紙プロセスのボイラー給水及び／又は１つ以上のサテライト供給位置の中に供給することを命令する信号の送信を引き起こすこと、とを含む方法。
【請求項２】
製紙プロセスにおけるボイラー復水及び／又はボイラー給水の汚染を検出するシステムであって：
オンラインであり及び操作中の製紙プロセスの蒸気発生器から導出される復水流中の酸化還元電位（以下、「ＯＲＰ」）を測定する能力のある、少なくとも１つの装置と通信する制御装置；及び
前記蒸気発生器のために、少なくとも１つの還元剤及び／又はｐＨ制御化学物質を、ボイラー給水内及び／又は１つ以上のサテライト供給位置内に注入するために用いられる、少なくとも１つの化学物質注入ポンプであって、測定されたＯＲＰ及び該化学物質注入ポンプの操作に関係する信号を、受信し、送信するために操作可能であるポンプ；
前記抄紙機械及び前記ボイラー又は蒸気発生器から導出された蒸気及び／又は復水流の間に熱力学的接続を形成するインターフェース；
復水返送ライン；
並びに復水廃棄システムを含む、システム。
【手続補正書】
【提出日】平成25年3月15日(2013.3.15)
【手続補正１】
【補正対象書類名】特許請求の範囲
【補正対象項目名】全文
【補正方法】変更
【補正の内容】
【特許請求の範囲】
【請求項１】
ジヒドロアルテミシニンを提供することができる化合物；並びに
中鎖長トリグリセリド類；
短鎖トリグリセリド類；
オメガ-３-マリントリグリセリド類；及び
オメガ-３-酸類に富んだ魚油
からなる群から選択される薬学的に許容可能な賦形剤を含む医薬組成物であって、
前記組成物は、経粘膜的舌下、口腔、又は経鼻投与のために処方した、
腫瘍性疾患の治療用の医薬組成物。
【請求項２】
前記腫瘍性疾患は、悪性腫瘍を含む、請求項１に記載の医薬組成物。
【請求項３】
前記腫瘍性疾患は、
下垂体腺腫；
扁平上皮細胞癌；
乳癌；
非ホジキンリンパ腫；
皮膚癌；
肺癌；及び
非小細胞肺癌
からなる群から選択される、請求項２に記載の医薬組成物。
【請求項４】
ジヒドロアルテミシニンを提供することができる化合物；並びに
中鎖長トリグリセリド類；
短鎖トリグリセリド類；
オメガ-３-マリントリグリセリド類；及び
オメガ-３-酸類に富んだ魚油
からなる群から選択される薬学的に許容可能な賦形剤を含む医薬組成物であって、
前記組成物は、経粘膜的舌下、口腔、又は経鼻投与のために処方した、
ジストマ病の治療用の医薬組成物。
【請求項５】
ジヒドロアルテミシニンを提供することができる化合物；並びに
中鎖長トリグリセリド類；
短鎖トリグリセリド類；
オメガ-３-マリントリグリセリド類；及び
オメガ-３-酸類に富んだ魚油
からなる群から選択される薬学的に許容可能な賦形剤を含む医薬組成物であって、
前記組成物は、経粘膜的舌下、口腔、又は経鼻投与のために処方した、
ライム病（ボレリオ症）の治療用の医薬組成物。
【請求項６】
ジヒドロアルテミシニンを提供することができる化合物；並びに
中鎖長トリグリセリド類；
短鎖トリグリセリド類；
オメガ-３-マリントリグリセリド類；及び
オメガ-３-酸類に富んだ魚油
からなる群から選択される薬学的に許容可能な賦形剤からなり、
前記組成物は、経粘膜的舌下、口腔、又は経鼻投与のために処方した、
請求項１〜５のいずれか一項に記載の組成物。
【請求項７】
ジヒドロアルテミシニンを提供することができる化合物；並びに
３７℃で液体であるトリグリセリド；及び
中鎖長トリグリセリド類；
からなる薬学的に許容可能な賦形剤からなり、
前記組成物は、経粘膜的舌下、口腔、又は経鼻投与のために処方した、
請求項１〜５のいずれか一項に記載の組成物。
【請求項８】
前記化合物は、アルテミシニンを含む、請求項１〜７のいずれか一項に記載の組成物。
【請求項９】
前記化合物は、アルテムエーテル又はアルテエーテルを含む、請求項８に記載の化合物。
【請求項１０】
水を含まない、請求項１〜９のいずれか一項に記載の組成物。
【請求項１１】
エタノールを含まない、請求項１〜１０のいずれか一項に記載の組成物。
【請求項１２】
メントール、バニラもしくはオレンジオイル、レモンオイル、丁子油、ペパーミント油、スペアミントオイル等のエッセンシャルオイルをさらに含む、請求項１〜１１のいずれか一項に記載の組成物。
【請求項１３】
舌下送達のために処方した、請求項１〜１２のいずれか一項に記載の組成物。
【請求項１４】
器具は、前記組成物の個々の又は連続した投与量を送達するのに適していて、それぞれ個々の又は連続した投与量が体積１０００μＬ未満である、薬物送達器具内に含まれる請求項１〜１３のいずれか一項に記載の組成物。
【請求項１５】
前記器具は、ポンプスプレーを備える、請求項１４に記載の組成物。
【請求項１６】
前記器具は、２０ミクロンを超える平均液滴直径を有する組成物のスプレーを生成するのに適した、請求項１５に記載の組成物。
【請求項１７】
容器の外側に前記医薬組成物の投与量を移すように配置された弁手段を備える、製剤投与量を提供するための器具内の容器内に含まれる請求項１〜１３のいずれか一項に記載の医薬組成物。
【請求項１８】
必要のある患者に前記組成物を経粘膜的舌下、口腔、又は経鼻経路によって投与するための説明書を備えるキット内に含まれる請求項１〜１３のいずれか一項に記載の組成物。
【誤訳訂正書】
【提出日】平成25年3月18日(2013.3.18)
【誤訳訂正１】
【訂正対象書類名】特許請求の範囲
【訂正対象項目名】全文
【訂正方法】変更
【訂正の内容】
【特許請求の範囲】
【請求項１】
中性油；及び
前記油中において可溶性の薬物を含む医薬組成物であり；
前記薬物は、前記油中溶液において、組成物１ｍＬ以下の体積中に必要とされる投与量を与える濃度であり；
前記薬物は、ニトログリセリンでない、
ヒトへの薬物の舌下送達用の医薬組成物。
【請求項２】
前記薬物は、
フェンタニル、
フェンタニルの誘導体、並びに、
それらの薬学的に許容可能な塩、でない、請求項１に記載の組成物。
【請求項３】
前記薬物は、アルテミシニンでない、請求項１又は２に記載の組成物。
【請求項４】
前記薬物は、ジヒドロポリプレノール、プロブコール、又はタクロリムスでない、請求項１〜３のいずれか一項に記載の組成物。
【請求項５】
中性油；及び
前記油中において可溶性のオピオイド薬物を含む医薬組成物であり；
前記オピオイド薬物は、前記油中溶液において、組成物１ｍＬ以下の体積中に必要とされる投与量を与える濃度であり；
前記オピオイドは、
フェンタニル、
フェンタニルの誘導体、並びに、
それらの薬学的に許容可能な塩、でない、
薬物の舌下送達用の医薬組成物。
【請求項６】
前記中性油は、グリセリドを含む、請求項１〜５のいずれか一項に記載の組成物。
【請求項７】
前記グリセリドは、トリグリセリドを含む、請求項６に記載の組成物。
【請求項８】
前記トリグリセリドは、ミグリオールを含む、請求項７に記載の組成物。
【請求項９】
前記ミグリオールは、
ミグリオール８１０；
ミグリオール８１２；
ミグリオール８１８；
ミグリオール８２９；及び
ミグリオール８４０
からなる群から選択されるミグリオールを含む、請求項８に記載の組成物。
【請求項１０】
前記中性油は、
精製されたトウモロコシ油（Ｐｈ  Ｅｕｒ）；
バージンキャスターオイル（Ｐｈ  Ｅｕｒ）；
精製されたオリーブオイル（Ｐｈ  Ｅｕｒ）及び
精製されたレプシードオイル（Ｐｈ  Ｅｕｒ）
からなる群から選択される油を含む、請求項１〜５のいずれかに記載の組成物。
【請求項１１】
前記中性油は、
グリセロールモノオレアート類（Ｐｈ  Ｅｕｒ）；
リノレオイルマクロゴールグリセリド類（Ｐｈ  Ｅｕｒ）；
オレオイルマクロゴールグリセリド類（Ｐｈ  Ｅｕｒ）；
植物性脂肪油類（Ｐｈ  Ｅｕｒ）；
トリグリセリドに富んだ中鎖トリグリセリド類（Ｐｈ  Ｅｕｒ）；
ココナッツオイル（Ｐｈ  Ｅｕｒ）；
精留パーム核油（Ｐｈ  Ｅｕｒ）；
水素化された綿実油（Ｐｈ  Ｅｕｒ）；
オメガ−３−マリントリグリセリド類（Ｐｈ  Ｅｕｒ）；
オメガ−３−酸類に富んだ魚油（Ｐｈ  Ｅｕｒ）；
タラ肝油（Ｐｈ  Ｅｕｒ）；
ジグリセリド類；
モノグリセリド類、及び
ジグリセロール
からなる群から選択される油を含む、請求項１〜５のいずれかに記載の組成物。
【請求項１２】
前記中性油は、
グリセロールモノオレアート類（Ｐｈ  Ｅｕｒ）；
リノレオイルマクロゴールグリセリド類（Ｐｈ  Ｅｕｒ）；
オレオイルマクロゴールグリセリド類（Ｐｈ  Ｅｕｒ）；
植物性脂肪油類（Ｐｈ  Ｅｕｒ）；
トリグリセリドに富んだ中鎖トリグリセリド類（Ｐｈ  Ｅｕｒ）；
ココナッツオイル（Ｐｈ  Ｅｕｒ）；
精留パーム核油（Ｐｈ  Ｅｕｒ）；
水素化された綿実油（Ｐｈ  Ｅｕｒ）；
オメガ−３−マリントリグリセリド類（Ｐｈ  Ｅｕｒ）；
オメガ−３−酸類に富んだ魚油（Ｐｈ  Ｅｕｒ）；
タラ肝油（Ｐｈ  Ｅｕｒ）；
ジグリセリド類；
モノグリセリド類、及び
ジグリセロール
からなる群から選択される油の誘導体又は部分グリセリドを包含する、請求項１〜５のいずれかに記載の組成物。
【請求項１３】
前記中性油及び前記薬物からなる、請求項１〜１２いずれか一項に記載の組成物。
【請求項１４】
エタノールを含まない、請求項１〜１３のいずれか一項に記載の組成物。
【請求項１５】
アルコールを含まない、請求項１４に記載の組成物。
【請求項１６】
エタノール；
イソプロパノール；
プロピレングリコール；
ポリエチレングリコール
からなる群から選択される共溶媒をさらに含む、請求項１〜１３のいずれか一項に記載の組成物。
【請求項１７】
酸化防止剤；
防腐剤；
粘膜浸透促進剤；
香味料
からなる群から選択される賦形剤をさらに含む、請求項１〜１６のいずれか一項に記載の組成物。
【請求項１８】
前記粘膜浸透促進剤又は前記香味料は、エッセンシャルオイルを含む、請求項１７に記載の組成物。
【請求項１９】
２０％（ｗ／ｗ）未満の界面活性剤を含む、請求項１〜１８のいずれか一項に記載の組成物。
【請求項２０】
前記投与量は、少なくとも１０ミクロンの平均直径を有する液滴を含む、前記組成物の連続的な投与量を送達するのに適した送達器具内に含まれる請求項１〜１９のいずれか一項に記載の組成物。
【請求項２１】
前記投与量は、ポンプスプレーによって送達される、請求項２０に記載の組成物。
【誤訳訂正２】
【訂正対象書類名】明細書
【訂正対象項目名】０００５
【訂正方法】変更
【訂正の内容】
【０００５】
したがって、本発明は、中性油と、前記油中に可溶性である薬物とを含む、舌下薬剤送達用の医薬組成物を提供する。前記薬物は、前記油中の溶液において、１ｍＬ以下の体積の組成物中において必要とされる服用量を提供する濃度である；但し、前記薬物は、ニトログリセリンではない。
【誤訳訂正３】
【訂正対象書類名】明細書
【訂正対象項目名】０００８
【訂正方法】変更
【訂正の内容】
【０００８】
好ましくは、前記薬物は、組成物の５００μＬ以下の体積；より好ましくは組成物の２００μＬ以下の体積、最も好ましくは組成物の１００μＬ以下の体積中において必要とされる薬物の投与量を付与する濃度で、前記油中に溶液として存在する。
【手続補正書】
【提出日】平成24年12月15日(2012.12.15)
【手続補正１】
【補正対象書類名】特許請求の範囲
【補正対象項目名】全文
【補正方法】変更
【補正の内容】
【特許請求の範囲】
【請求項１】
栄養補給剤；及び、
該栄養補給剤のインビボにおける時間制御されかつ持続された放出のための化合物：を含有する、インビボにおける消費のための組成物であって、
ここで該組成物の炭水化物の放出及び吸収の動態が、該栄養補給剤のインビボにおける時間制御されかつ持続された放出のための化合物を含まない組成物とは異なる、前記組成物。
【手続補正書】
【提出日】平成25年2月18日(2013.2.18)
【手続補正１】
【補正対象書類名】特許請求の範囲
【補正対象項目名】請求項１４
【補正方法】変更
【補正の内容】
【請求項１４】
前記第１曲げ剛性の物質と前記第２曲げ剛性の物質は、前記香辛料が少なくとも約６カ月の貯蔵寿命があるように選択され、前記貯蔵寿命は、Ｌ＊ａ＊ｂ＊の色空間で作動する比色計を用いて決定され、前記Ｌ＊値は６ヶ月の間で約１０％を超えて劣化しないことを特徴とする請求項１に記載の容器。
【手続補正書】
【提出日】平成25年4月19日(2013.4.19)
【手続補正１】
【補正対象書類名】特許請求の範囲
【補正対象項目名】全文
【補正方法】変更
【補正の内容】
【特許請求の範囲】
【請求項１】
三糖：Ｇａｌ（β１‐６）‐Ｇａｌ（β１‐４）‐Ｇｌｃ、Ｇａｌ（β１‐３）‐Ｇａｌ（β１‐４）‐Ｇｌｃ、四糖：Ｇａｌ（β１‐６）‐Ｇａｌ（β１‐６）‐Ｇａｌ（β１‐４）‐Ｇｌｃおよび五糖：Ｇａｌ（β１‐６）‐Ｇａｌ（β１‐６）‐Ｇａｌ（β１‐６）‐Ｇａｌ（β１‐４）‐Ｇｌｃからなる群より選択される３以上の重合度を有するガラクトオリゴ糖を含む、腸管炎症性疾患予防剤。
【請求項２】
前記腸管炎症性疾患が、大腸炎、腸壊死性の大腸炎、偽膜性大腸炎、潰瘍性大腸炎、クローン病、憩室炎、または炎症性腸疾患から選択される、請求項１に記載の腸管炎症性疾患予防剤。
【請求項３】
粉末、シロップまたはソフトトローチの形態で提供する、請求項１又は請求項２に記載の腸管炎症性疾患予防剤。
【請求項４】
一日当たり１ｇ〜１０ｇのガラクトオリゴ糖投与量となるように投与される、請求項３に記載の腸管炎症性疾患予防剤。
【請求項５】
一日当たり２ｇ〜５ｇのガラクトオリゴ糖投与量となるように投与される、請求項３に記載の腸管炎症性疾患予防剤。
【請求項６】
一日当たり２．７５ｇのガラクトオリゴ糖投与量となるように投与される、請求項３に記載の腸管炎症性疾患予防剤。
【手続補正２】
【補正対象書類名】明細書
【補正対象項目名】００６２
【補正方法】変更
【補正の内容】
【００６２】
結論
ＤＰ３およびＤＰ＞３の画分が、全ガラクトオリゴ糖混合物（Ｂｉｍｕｎｏ）と等しい量で存在する場合、炎症に対する保護効果は有意に高い。
以下、本発明に係る態様を示す。
＜１＞  炎症性疾患の予防または治療における使用のための、３以上の重合度を有するガラクトオリゴ糖。
＜２＞  三糖：Ｇａｌ（β１‐６）‐Ｇａｌ（β１‐４）‐Ｇｌｃ、Ｇａｌ（β１‐３）‐Ｇａｌ（β１‐４）‐Ｇｌｃ、四糖：Ｇａｌ（β１‐６）‐Ｇａｌ（β１‐６）‐Ｇａｌ（β１‐４）‐Ｇｌｃおよび五糖：Ｇａｌ（β１‐６）‐Ｇａｌ（β１‐６）‐Ｇａｌ（β１‐６）‐Ｇａｌ（β１‐４）‐Ｇｌｃからなる群より選択される、＜１＞に記載の使用のためのガラクトオリゴ糖。
＜３＞  腸管炎症性疾患の予防または治療における使用のための、＜１＞または＜２＞に記載のガラクトオリゴ糖。
＜４＞  大腸炎、腸壊死性の大腸炎、偽膜性大腸炎、潰瘍性大腸炎、クローン病、憩室炎、虚血または炎症性腸疾患の予防または治療における使用のための、＜１＞〜＜３＞のいずれかに記載のガラクトオリゴ糖。
＜５＞  粉末、シロップまたはソフトトローチの形態で提供する、＜１＞〜＜４＞のいずれかに記載のガラクトオリゴ糖。
＜６＞  １ｇ〜１０ｇのガラクトオリゴ糖、好ましくは２ｇ〜５ｇのガラクトオリゴ糖、最も好ましくは２．７５ｇのガラクトオリゴ糖を、炎症性疾患の治療のために毎日用いる、＜５＞に記載のガラクトオリゴ糖。
＜７＞  １ｇ〜１０ｇのガラクトオリゴ糖、好ましくは２ｇ〜５ｇのガラクトオリゴ糖、最も好ましくは２．７５ｇのガラクトオリゴ糖を、炎症性疾患の予防のために毎日用いる、＜５＞に記載のガラクトオリゴ糖。
＜８＞  炎症性疾患の予防または処置における、３以上の重合度を有するガラクトオリゴ糖の使用。
＜９＞  ガラクトオリゴ糖は、三糖：Ｇａｌ（β１‐６）‐Ｇａｌ（β１‐４）‐Ｇｌｃ、Ｇａｌ（β１‐３）‐Ｇａｌ（β１‐４）‐Ｇｌｃ、四糖：Ｇａｌ（β１‐６）‐Ｇａｌ（β１‐６）‐Ｇａｌ（β１‐４）‐Ｇｌｃおよび五糖：Ｇａｌ（β１‐６）‐Ｇａｌ（β１‐６）‐Ｇａｌ（β１‐６）‐Ｇａｌ（β１‐４）‐Ｇｌｃからなる群より選択される、＜８＞に記載の使用。
＜１０＞  ３以上の重合度を有するガラクトオリゴ糖を、哺乳動物に経口的に有効量投与することを含む、炎症性疾患の治療および／または予防のための方法。
＜１１＞  ガラクトオリゴ糖は、三糖：Ｇａｌ（β１‐６）‐Ｇａｌ（β１‐４）‐Ｇｌｃ、Ｇａｌ（β１‐３）‐Ｇａｌ（β１‐４）‐Ｇｌｃ、四糖：Ｇａｌ（β１‐６）‐Ｇａｌ（β１‐６）‐Ｇａｌ（β１‐４）‐Ｇｌｃおよび五糖：Ｇａｌ（β１‐６）‐Ｇａｌ（β１‐６）‐Ｇａｌ（β１‐６）‐Ｇａｌ（β１‐４）‐Ｇｌｃからなる群より選択される、＜１０＞に記載の方法。
＜１２＞  炎症性疾患は、腸管炎症性疾患である、＜１０＞または＜１１＞に記載の方法。
＜１３＞  炎症性疾患は、大腸炎、腸壊死性の大腸炎、偽膜性大腸炎、潰瘍性大腸炎、クローン病、憩室炎、虚血または炎症性腸疾患である、＜１０＞に記載の方法。
＜１４＞  哺乳動物はヒトである、＜１０＞に記載の方法。
＜１５＞  ガラクトオリゴ糖を、粉末、シロップとしてまたはソフトトローチの形態で投与する、＜１０＞に記載の方法。
＜１６＞  炎症性疾患を治療するための活性ガラクトオリゴ糖の有効一日用量は、１ｇ〜１０ｇ、好ましくは２ｇ〜５ｇ、最も好ましくは２．７５ｇである、＜１０＞に記載の方法。
＜１７＞  炎症性疾患を予防するための活性ガラクトオリゴ糖の有効一日用量は、１ｇ〜１０ｇ、好ましくは２ｇ〜５ｇ、最も好ましくは２．７５ｇである、＜１０＞に記載の方法。
【手続補正書】
【提出日】平成25年3月13日(2013.3.13)
【手続補正１】
【補正対象書類名】特許請求の範囲
【補正対象項目名】全文
【補正方法】変更
【補正の内容】
【特許請求の範囲】
【請求項１】
４−（３−クロロ−２−フルオロアニリノ）−７−メトキシ−６−｛［１−（Ｎ−メチルカルバモイルメチル）ピペリジン−４−イル］オキシ｝キナゾリンまたはその塩の製造方法であって：
（ａ）式（ＩＩ）の化合物：
【化１】
2012524769.tif 000001
を適切な酸の存在下で３−クロロ−２−フルオロアニリンと反応させること；または
（ｂ）式（ＩＩＩ）の化合物：
【化２】
2012524769.tif 000002
を適切な酸の存在下で式（ＸＩ）または式（ＸＩＩ）の化合物：
【化３】
2012524769.tif 000003
と反応させること；
を含む方法。
【請求項２】
酸が酢酸、ブタン二酸、フマル酸またはプロパン酸である、請求項１に記載の方法。
【請求項３】
式（ＩＩ）の化合物が、式（ＩＩＩ）の化合物：
【化４】
2012524769.tif 000004
をＮ，Ｎ−ジメチルホルムアミドジメチルアセタールと反応させることを含む方法により製造される、請求項１に記載の方法。
【請求項４】
式（ＩＩＩ）の化合物が、式（ＩＶ）の化合物：
【化５】
2012524769.tif 000005
の還元を含む方法により製造される、請求項１または３に記載の方法。
【請求項５】
式（ＩＶ）の化合物が、式（Ｖ）の化合物：
【化６】
2012524769.tif 000006
のニトロ化を含む方法により製造される、請求項４に記載の方法。
【請求項６】
式（Ｖ）の化合物が、式（ＶＩ）の化合物：
【化７】
2012524769.tif 000007
を式（ＶＩＩ）の化合物：
【化８】
2012524769.tif 000008
（式中、Ｌｇ１は適切な脱離基である）と反応させることを含む方法により製造される、請求項５に記載の方法。
【請求項７】
式（ＶＩ）の化合物が、式（ＶＩＩＩ）の化合物：
【化９】
2012524769.tif 000009
（式中、Ｐｇ１は適切なアミノ保護基である）の脱保護を含む方法により製造される、請求項６に記載の方法。
【請求項８】
式（ＶＩＩＩ）の化合物が、式（Ｘ）の化合物：
【化１０】
2012524769.tif 000010
を式（ＩＸ）の化合物：
【化１１】
2012524769.tif 000011
（式中、Ｌｇ２は適切な脱離基であり、Ｐｇ１は適切なアミノ保護基である）と反応させることを含む方法により製造される、請求項７に記載の方法。
【請求項９】
式（ＸＩＩＩ）の化合物またはその塩：
【化１２】
2012524769.tif 000012
（式中、Ｒ１は、Ｈ、−ＮＨ２、−ＮＯ２、または
【化１３】
2012524769.tif 000013
であり；
Ｒ２は、Ｈ、Ｎ−メチルカルバモイルメチル、またはＰｇ１であり；
Ｐｇ１は、アミノ保護基であり；
ただし、Ｒ２がＨまたはアミノ保護基である場合はＲ１はＨである）。
【請求項１０】
式（ＩＩ）、（ＩＩＩ）、（ＩＶ）、（Ｖ）、（ＶＩ）および（ＶＩＩＩ）のいずれかの化合物から選択される、請求項９に記載の化合物：
【化１４】
2012524769.tif 000014
【請求項１１】
式（ＩＩ）、（ＩＩＩ）、（ＩＶ）、（Ｖ）、（ＶＩ）および（ＶＩＩＩ）のいずれかの化合物の塩から選択される、請求項９に記載の化合物の塩：
【化１５】
2012524769.tif 000015
【請求項１２】
式（ＸＩ）、式（ＸＩＩ）またはその塩から選択される化合物：
【化１６】
2012524769.tif 000016
【請求項１３】
請求項１〜８のいずれか１項に記載の方法により製造される化合物、または請求項９〜〜１２のいずれか１項に記載の化合物もしくはその塩を投与することを含む、治療方法。
【誤訳訂正書】
【提出日】平成25年9月24日(2013.9.24)
【誤訳訂正１】
【訂正対象書類名】明細書
【訂正対象項目名】００４０
【訂正方法】変更
【訂正の内容】
【００４０】
次いでこの溶液を１３００ｍｌの乾燥・脱気したモノクロロベンゼン（ＭＣＢ）で希釈し、滴下ロートに移す。所定の反応器には、前には１３００ｍｌのＭＣＢが入っており、そして室温で１６０ｇのホスゲンを凝縮させる。次いで撹拌しながら５０℃で６０分以内に、このホスゲン溶液に１３００ｍｌのＭＣＢと７０ｇのＭＤＡの溶液を滴下ロートから滴下させる。その後、この懸濁液を１１０℃に加熱して透明とさせる。次いで溶媒を、減圧下塔底温度が最高で１００℃で留去する。次いで、残存する溶媒を５ｍｂａｒで少なくとも６０℃で完全に除く。このようにして得られたイソシアネートをフラスコに移し、１００℃で５ｍｂａｒの真空で４５分間、ロータリーエバボレータで処理する。その後、同じ真空下で、最初の生成物が蒸留で出てくるまで加熱を６０分間継続する。冷却後、１ｇの得られた粗ＭＤＩを５ｇのＭＣＢに溶解し、ドクターランゲ（ＬＩＣＯ５００）分光光度計で分析する。ヨウ素色数（ＩＣＮ）とＬ＊、ａ＊、ｂ＊値の測定値を記録する。